(57)【要約】【課題】  反射部材が脱落してしまう虞がなく、製造コストを低減でき、夜間における視認性を高くできる反射チェーンを提供する。【解決手段】  反射部材３と、直列に連結された任意数のリング２の組とを、交互に繰り返し接続してなる。反射部材３はプラスチックからなり、両端部付近に１対のリング接続用穴４を設けられるとともに、これらのリング接続用穴４間に板状の反射材貼付部５を一体的に設けられており、反射材貼付部５に反射性を有するシート状の反射材７を貼付されている。反射部材３とその両側に位置するリング２とは、リング２がリング接続用穴４を貫通するとともに、反射部材３のうちのリング接続用穴４の周囲の部分がリング２内を貫通する状態とすることにより接続されている。【選択図】    図１
2006316521.tif 000002
【特許請求の範囲】
【請求項１】
反射部材と、直列に連結された任意数のリングの組とを、交互に繰り返し接続してなり、
前記反射部材は、プラスチックからなり、両端部付近に開口された１対のリング接続用穴と、これらのリング接続用穴間に設けられた板状の反射材貼付部とを一体的に有するとともに、反射性を有するシート状の反射材を前記反射材貼付部に貼付されており、
前記反射部材と該反射部材の両側に位置する前記リングとは、それぞれ、各前記リングが前記リング接続用穴を貫通するとともに、前記反射部材のうちの各前記リング接続用穴の周囲の部分が前記リング内を貫通する状態とされることにより接続されている反射チェーン。
【請求項２】
前記反射材貼付部は、前記反射部材の周縁部より凹陥している請求項１記載の反射チェーン。
【請求項３】
前記反射部材と前記リングとは、該反射部材およビリングの成型過程において接続されている請求項１または２記載の反射チェーン。
【請求項４】
コーンに嵌合されるコーン嵌合輪を両端部に取り付けられている請求項１乃至３のいずれかに記載の反射チェーン。
【発明の詳細な説明】
【技術分野】
【０００１】
本発明は、工場、工事現場、駐車場、催し物会場、ガソリンスタンド、ゴルフ場、公共施設等において車両や人の通行、出入りを規制するため等に使用されるチェーンに関する。
【背景技術】
【０００２】
この種のチェーンは、夜間は認識されにくいので、従来は、夜間の視認性を向上したい場合には、反射性を付与された反射部材を、既に完成済みのチェーンに後付けで取り付けていた。
【０００３】
特許文献１および２に開示されている反射チェーンは、上述のように反射部材を後付けする従来の反射チェーンの例であり、特許文献１は、「弾性を有するプラスチックから成り、柵チェーンの単体リンクにおいて並列する棒体の内径面(連鎖する他のリンクの誘導を妨げない範囲)に弧状溝により嵌合せしめるようにした板体を形成し、該板体の板面および側面に反射シート等の再帰反射材又は蓄光材を貼り付け又は塗布したことを特徴とする柵チェーン用反射具」を提案している。また、特許文献２は、「チェン環の両側平行線部間に、光反射部材を装着したことを特徴とするチェン」を提案している。
【特許文献１】実開平１−７９６１４号公報
【特許文献２】実開平３−５７２０号公報
【発明の開示】
【発明が解決しようとする課題】
【０００４】
しかしながら、前記従来のように、反射部材を後付けでチェーンに取り付ける場合は、製造コストが高くなるとともに、反射部材がチェーンから脱落しやすいという問題があった。
【０００５】
また、特許文献１および２に記載のチェーンの場合は、チェーンに取り付けられる「板体」または「光反射部材」が各リングより小さいか、またはほぼ同等の大きさとならざるを得ないので、夜間における視認性が十分でなくなる虞があるという問題もあった。
【０００６】
本発明は、このような従来の事情に鑑みてなされたもので、本発明の目的は、反射部材が脱落してしまう虞のない反射チェーンを提供することにある。
【０００７】
本発明の他の目的は、製造コストを低減することができる反射チェーンを提供することにある。
【０００８】
本発明の他の目的は、夜間における視認性を高くすることができる反射チェーンを提供することにある。
【０００９】
本発明のさらに他の目的は、以下の説明から明らかになろう。
【課題を解決するための手段】
【００１０】
本発明による反射チェーンは、反射部材と、直列に連結された任意数のリングの組とを、交互に繰り返し接続してなり、
前記反射部材はプラスチックからなり、両端部付近に開口された１対のリング接続用穴と、これらのリング接続用穴間に設けられた板状の反射材貼付部とを一体的に有するとともに、反射性を有するシート状の反射材を前記反射材貼付部に貼付されており、
前記反射部材と該反射部材の両側に位置する前記リングとは、それぞれ、各前記リングが前記リング接続用穴を貫通するとともに、前記反射部材のうちの各前記リング接続用穴の周囲の部分が前記リング内を貫通する状態とされることにより接続されているものである。
【００１１】
本発明においては、リング同士の接続と同一の態様で、反射部材がリングと接続されているので、反射部材が脱落してしまう虞がない。
【００１２】
また、上述のように、リング同士の接続と同一の態様で、反射部材がリングと接続されているので、通常のプラスチックチェーンと同じ製造方法で、反射部材とリングとをそれらの成型過程で互いに接続した状態として連続的に製造できるため、製造コストを低減することができる。
【００１３】
さらに、反射部材はリングより大きくすることができるので、夜間における視認性を高くすることができる。
【発明の効果】
【００１４】
本発明の反射チェーンは、
（イ）反射部材が脱落してしまう虞がない、
（ロ）チェーンの製造過程で反射部材とリングとを接続できるので、製造コストを低減することができる、
（ハ）夜間の視認性を高くすることができる、
等の優れた効果を得られるものである。
【発明を実施するための最良の形態】
【００１５】
以下、本発明を図面に示す実施例に基づいて説明する。
【実施例１】
【００１６】
図１〜１０は本発明の実施例１を示している。図１に示されるように、反射チェーン１は、複数のリング２と反射部材３とを１列に接続してなる。さらに詳しく言うと、反射チェーン１は、適当数(具体的には５個)直列に連結されたリング２のうちの一方の末端のリング２を反射部材３の一端側に接続し、さらにこの反射部材３の他端側に、前記リング２の組とは別の適当数直列に連結されたリング２の組を接続するというようにして、適当数のリング２の組と反射部材３とを交互に所望のチェーン長さだけ繰り返し接続した構成とされている。なお、各反射部材３間に位置する各組のリング２の数は任意である。
【００１７】
前記反射部材３は、ＡＢＳ樹脂、ポリエチレン等のプラスチックからなり、図２〜６によく示されるように、全体に大略楕円形の板状をなしていて、両端部付近に１対のリング接続用穴４を開口されている。また、前記反射部材３の１対のリング接続用穴４間には、平板状の反射材貼付部５が、該反射部材３の他の部分と一体的に形成されており、この反射材貼付部５は該反射部材３の楕円形状の周縁部６より若干凹陥している。前記反射材貼付部５の両面には、再帰反射性を有するシート状の反射材７が貼付されている。前記反射材７には、文字、図形、記号等８が印刷等により担持されている。ただし、反射材７に文字、図形、記号等８を担持させなくてもよい。
【００１８】
各リング２は、通常のプラスチックチェーンのリングと同様の形状の、ＡＢＳ樹脂、ポリエチレン等のプラスチックからなるリング２であり、図７〜９によく示されるように大略長円形状とされている。隣り合うリング２同士は、通常のチェーンの場合と同じように、各リング２を互いに貫通し合った状態とすることにより接続されている。前記反射部材３とその両側のリング２は、図１および１０に示されるように、リング２同士の接続と同様にして、リング２がリング接続用穴４を貫通するとともに、反射部材３のうちのリング接続用穴４の周囲の部分がリング２内を貫通する状態とすることにより接続されている。
【００１９】
なお、前記リング２同士の接続および反射部材３とリング２との接続は、従来公知のプラスチックチェーンの製法におけるリング同士の接続と同様の方法により、リング２および反射部材３の成型過程において行われている。
【００２０】
この反射チェーン１においては、リング２同士の接続と同一の態様で、反射部材３がリング２と接続されているので、反射部材３が脱落してしまう虞がない。
【００２１】
また、上述のように、リング２同士の接続と同一の態様で、反射部材３がリング２と接続されているので、通常のプラスチックチェーンと同じ製造方法で、反射部材３とリング２とを成型過程で互いに接続した状態として連続的に製造できるため、製造コストを低減することができる。
【００２２】
さらに、反射部材３はリング２より大きくすることができるので、夜間における視認性を高くすることができる。
【００２３】
また、本実施例では、反射材貼付部５は反射部材３の周縁部６より凹陥しているので、反射材７が外部の物体等に接触しにくく、したがって損傷しにくい。
【実施例２】
【００２４】
図１１〜１７は、本発明の実施例２を示している。本実施例においては、図１１に示されるように、前記実施例１の反射チェーンと同様の、リング２、反射部材３および反射材７の組み合わせの両端部に、コーン嵌合輪９がスリット入りリング１１を介して取り付けられている。図１２〜１５は、前記コーン嵌合輪９を単独で示したものであり、ＡＢＳ樹脂、ポリエチレン等のプラスチックからなり、環状のリング接続部１０を、径方向外側に突出するようにして、一体的に設けられている。図１６に示されるように、前記スリット入りリング１１の一箇所には、スリット１２が設けられており、該スリット入りリング１１をひねって、スリット１２において該スリット入りリング１１を開いた状態とし、該スリット入りリング１１にコーン嵌合輪９のリング接続部１０およびリング２を侵入させ、リング接続部１０とスリット入りリング１１、およびスリット入りリング１１とリング２とを、それぞれ互いに貫通し合った状態とすることにより、コーン嵌合輪９がスリット入りリング１１を介して末端のリング２に接続されている(なお、ひねりを解除すれば、スリット入りリング１１のスリット１２は閉じられた状態となる)。
【００２５】
本実施例においては、図１７のように、両端のコーン嵌合輪９をそれぞれ別のコーン１３に嵌合することにより、１対のコーン１３間に反射チェーン１を掛け渡すことができる。
【産業上の利用可能性】
【００２６】
以上のように本発明による反射チェーンは、工場、工事現場、駐車場、催し物会場、ガソリンスタンド、ゴルフ場、公共施設等において、車両や人の通行、出入り等を規制するため等に使用される反射チェーンとして有用である。
【図面の簡単な説明】
【００２７】
【図１】本発明による反射チェーンの実施例１を示す正面図である。
【図２】前記実施例１における反射部材を示す正面図である。
【図３】前記反射部材を示す平面図である。
【図４】前記反射部材を示す側面図である。
【図５】図１のＶ−Ｖ線における断面図である。
【図６】図１のＶＩ−ＶＩ線における断面図である。
【図７】前記実施例１におけるリングを示す正面図である。
【図８】前記リングを示す側面図である。
【図９】図７のＩＸ−ＩＸ線における断面図である。
【図１０】前記実施例１における反射部材とリングとの接続部付近を示す断面図である。
【図１１】本発明による反射チェーンの実施例２を示す正面図である。
【図１２】前記実施例２におけるコーン嵌合輪を示す平面図である。
【図１３】前記コーン嵌合輪を示す正面図である。
【図１４】前記コーン嵌合輪を示す側面図である。
【図１５】図１２のＸＶ−ＸＶ線における断面図である。
【図１６】前記実施例２におけるコーン嵌合輪とリングとの接続部を示す断面図である。
【図１７】前記実施例２をコーン間に掛け渡した状態で示す側面図である。
【符号の説明】
【００２８】
１    反射チェーン
２    リング
３    反射部材
４    リング接続用穴
５    反射材貼付部
６    反射部材の周縁部
７    反射材
９    コーン嵌合輪
【図１】
2006316521.tif 000003
【図２】
2006316521.tif 000004
【図３】
2006316521.tif 000005
【図４】
2006316521.tif 000006
【図５】
2006316521.tif 000007
【図６】
2006316521.tif 000008
【図７】
2006316521.tif 000009
【図８】
2006316521.tif 000010
【図９】
2006316521.tif 000011
【図１０】
2006316521.tif 000012
【図１１】
2006316521.tif 000013
【図１２】
2006316521.tif 000014
【図１３】
2006316521.tif 000015
【図１４】
2006316521.tif 000016
【図１５】
2006316521.tif 000017
【図１６】
2006316521.tif 000018
【図１７】
2006316521.tif 000019